(57)【特許請求の範囲】
【請求項１】
水、有機溶剤、及び界面活性剤を含有するインク洗浄用洗浄液であって、
前記有機溶剤が、３−メトキシ−３−メチル−１−ブタノールを含有し、
前記界面活性剤が、シリコーン界面活性剤を含有することを特徴とするインク洗浄用洗浄液。
【請求項２】
前記シリコーン界面活性剤が、ポリエーテル変性シリコーン界面活性剤である請求項１に記載のインク洗浄用洗浄液。
【請求項３】
最大泡圧法による寿命時間１５ｍ秒間での２５℃における動的表面張力が、３０ｍＮ／ｍ以下である請求項１から２のいずれかに記載のインク洗浄用洗浄液。
【請求項４】
最大泡圧法による寿命時間１５ｍ秒間での２５℃における動的表面張力をＦ１５とし、最大泡圧法による寿命時間１５０ｍ秒間での２５℃における動的表面張力をＦ１５０としたときの比率（Ｆ１５／Ｆ１５０）が、１．２５以上である請求項１から３のいずれかに記載のインク洗浄用洗浄液。
【請求項５】
請求項１から４のいずれかに記載のインク洗浄用洗浄液と、
樹脂粒子を含有するインクと、を有し、
前記インク中の前記樹脂粒子の含有量が、５質量％以上であることを特徴とするインクとインク洗浄用洗浄液のセット。
【請求項６】
ノズル孔を有するノズルプレート、及びインク流路を有するインクジェット記録装置の洗浄方法であって、
前記ノズルプレート、又は前記インク流路に残留したインクを請求項１から４のいずれかに記載のインク洗浄用洗浄液により洗浄する洗浄工程を含むことを特徴とする洗浄方法。
【請求項７】
請求項５に記載のインクとインク洗浄用洗浄液のセットにおける、前記インクと、前記インク洗浄用洗浄液と、を有することを特徴とするインクジェット記録装置。
【請求項８】
請求項５に記載のインクとインク洗浄用洗浄液のセットにおける前記インクに刺激を印加し、前記インクを飛翔させて記録媒体に画像を記録するインク飛翔手段と、
ノズル孔を有するノズルプレート、又はインク流路に残留した前記インクを前記インク洗浄用洗浄液により洗浄する洗浄手段と、を有することを特徴とするインクジェット記録装置。
【請求項９】
請求項５に記載のインクとインク洗浄用洗浄液のセットにおける前記インクに刺激を印加し、前記インクを飛翔させて記録媒体に画像を記録するインク飛翔工程と、
ノズル孔を有するノズルプレート、又はインク流路に残留した前記インクを前記インク洗浄用洗浄液により洗浄する洗浄工程と、を含むことを特徴とするインクジェット記録方法。
【発明の詳細な説明】
【技術分野】
【０００１】
本発明は、洗浄液、インクと洗浄液のセット、洗浄方法、インクジェット記録装置、及びインクジェット記録方法
に関する。
【背景技術】
【０００２】
従来、インクジェット用インクとしては、発色性の良さ、信頼性の高さ等の点から染料インクが主流であったが、前記染料インクは、耐水性及び耐光性が劣ることから、近年では、顔料インクが用いられることが多くなってきている。
【０００３】
前記顔料インクは、高速連帳機などの商業印刷用途にも使用されるようになり、前記高速連帳機に要求される高速乾燥性（高速定着性）や低インク吸収記録メディアへの定着性を確保するために、樹脂を含有するようになっている。しかし、前記顔料インクに樹脂を含有させると、連続記録時に、前記インクが記録ヘッド等に付着し、凝集、及び乾燥することにより、インクの吐出安定性が低下することがある。前記インクの吐出安定性を確保するために前記記録ヘッド等に付着したインクを洗浄する必要がある。
しかし、前記樹脂を含有するインクは、記録ヘッドに強固に付着するため、これまでの洗浄液では洗浄力が不十分であるという問題がある。
【０００４】
そこで、１，２−プロパンジオールを含有し、ＨＬＢ値が１４以下の界面活性剤を含有するインクジェット記録用メンテナンス液が提案されている（例えば、特許文献１参照）。
【発明の概要】
【発明が解決しようとする課題】
【０００５】
本発明は、ノズルプレート等に固着したインクを効率よく洗浄することができる洗浄液を提供することを目的とする。
【課題を解決するための手段】
【０００６】
前記課題を解決するための手段としての本発明の洗浄液は、水、有機溶剤、及び界面活性剤を含有する洗浄液であって、前記有機溶剤が、３−メトキシ−３−メチル−１−ブタノールを含有し、前記界面活性剤が、シリコーン界面活性剤を含有する。
【発明の効果】
【０００７】
本発明によると、ノズルプレート等に固着したインクを効率よく洗浄することができる洗浄液を提供することができる。
【図面の簡単な説明】
【０００８】
【図１】図１は、シリアル型画像形成装置の一例を示す斜視説明図である。
【図２】図２は、図１の装置のメインタンクの一例を示す斜視説明図である。
【発明を実施するための形態】
【０００９】
（洗浄液）
本発明の洗浄液は、水、有機溶剤、及び界面活性剤を含有する洗浄液であって、前記有機溶剤が、３−メトキシ−３−メチル−１−ブタノールを含有し、前記界面活性剤が、シリコーン界面活性剤を含有し、更に必要に応じて、その他の成分を含有してなる。
本発明の洗浄液は、従来のインクジェット記録用メンテナンス液では、近年の高速定着性を有するインクの洗浄においては、洗浄力が不十分であるという知見に基づくものである。
【００１０】
また、本発明者らは、以下のことを知見した。
近年の高速定着を実現するインク組成物は、インクジェット吐出ヘッド表面に付着し、乾燥した場合、固化して洗浄により除去するのが困難なほど強固に固着する。特に、前記インク組成物が、５質量％以上の樹脂粒子を含有する場合は、記録媒体に対する定着性に優れ、更には画像強度や耐ブロッキング性に優れる特徴を有するが、ノズル孔を有するノズルプレート、又はインク流路に残留したインクの洗浄性が更に低下し、吐出安定性が劣るという問題がある。そこで、３−メチル−３−メトキシ−１−ブタノールを含む洗浄液を用いると、ノズルプレート表面に固着したインクが膜のまま容易に剥がし取ることができる。即ち、本発明の洗浄液による作用は、インクを膜として剥がし取る点において、従来の溶解や再分散させて除去する方法と基本的に異なるものである。新たな作用機構によって、洗浄性を顕著に向上させることができることを知見した。
【００１１】
＜有機溶剤＞
前記有機溶剤は、３−メトキシ−３−メチル−１−ブタノールを含有し、更に必要に応じてその他の有機溶剤を含有してなる。
【００１２】
＜＜その他の有機溶剤＞＞
前記その他の有機溶剤としては、特に制限はなく、目的に応じて適宜選択することができ、例えば、水溶性有機溶剤などが挙げられる。
前記水溶性有機溶剤としては、例えば、多価アルコール類、多価アルコールアルキルエーテル類、多価アルコールアリールエーテル類、含窒素複素環化合物、アミド類、アミン類、含硫黄化合物類、プロピレンカーボネート、炭酸エチレンなどが挙げられる。これらは、１種単独で使用してもよいし、２種以上を併用してもよい。
【００１３】
前記多価アルコール類としては、例えば、エチレングリコール、ジエチレングリコール、１，２−プロパンジオール、１，３−プロパンジオール、１，２−ブタンジオール、１，３−ブタンジオール、１，４−ブタンジオール、２，３−ブタンジオール、３−メチル−１，３−ブタンジオール、トリエチレングリコール、ポリエチレングリコール、ポリプロピレングリコール、１，２−ペンタンジオール、１，３−ペンタンジオール、１，４−ペンタンジオール、２，４−ペンタンジオール、１，５−ペンタンジオール、１，２−ヘキサンジオール、１，６−ヘキサンジオール、１，３−ヘキサンジオール、２，５−ヘキサンジオール、１，５−ヘキサンジオール、グリセリン、１，２，６−ヘキサントリオール、２−エチル−１，３−ヘキサンジオール、エチル−１，２，４−ブタントリオール、１，２，３−ブタントリオール、２，２，４−トリメチル−１，３−ペンタンジオール、ペトリオールなどが挙げられる。これらは、１種単独で使用してもよいし、２種以上を併用してもよい。
【００１４】
前記多価アルコールアルキルエーテル類としては、例えば、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテルなどが挙げられる。これらは、１種単独で使用してもよいし、２種以上を併用してもよい。
【００１５】
前記多価アルコールアリールエーテル類としては、例えば、エチレングリコールモノフェニルエーテル、エチレングリコールモノベンジルエーテルなどが挙げられる。これらは、１種単独で使用してもよいし、２種以上を併用してもよい。
【００１６】
前記含窒素複素環化合物としては、例えば、２−ピロリドン、Ｎ−メチル−２−ピロリドン、Ｎ−ヒドロキシエチル−２−ピロリドン、１，３−ジメチル−２−イミダゾリジノン、ε−カプロラクタム、γ−ブチロラクトンなどが挙げられる。これらは、１種単独で使用してもよいし、２種以上を併用してもよい。
【００１７】
前記アミド類としては、例えば、ホルムアミド、Ｎ−メチルホルムアミド、Ｎ，Ｎ−ジメチルホルムアミド、３−メトキシ−Ｎ，Ｎ-ジメチルプロピオンアミド、３−ブトキシ−Ｎ，Ｎ-ジメチルプロピオンアミドなどが挙げられる。これらは、１種単独で使用してもよいし、２種以上を併用してもよい。
【００１８】
前記アミン類としては、例えば、モノエタノールアミン、ジエタノールアミン、トリエチルアミンなどが挙げられる。これらは、１種単独で使用してもよいし、２種以上を併用してもよい。
前記含硫黄化合物としては、例えば、ジメチルスルホキシド、スルホラン、チオジエタノールなどが挙げられる。
【００１９】
前記有機溶剤の含有量としては、洗浄液全量に対して、１０質量％以上６０質量％以下が好ましく、２０質量％以上６０質量％以下がより好ましい。
【００２０】
前記３−メトキシ−３−メチル−１−ブタノールの含有量としては、インクの固着物の洗浄性向上の点から、洗浄液全量に対して、１０質量％以上が好ましく、２０質量％以上がより好ましい。
【００２１】
＜界面活性剤＞
前記界面活性剤は、シリコーン界面活性剤を含有し、更に必要に応じてその他の界面活性剤を含有してなる。なお、前記シリコーン界面活性剤としては、その構造中に、シロキサン結合による骨格を有していればよく、シリコーン系界面活性剤を含む意味である。
【００２２】
前記シリコーン界面活性剤としては、特に制限はなく、目的に応じて適宜選択することができるが、高ｐＨでも分解しないシリコーン界面活性剤が好ましい。
前記シリコーン界面活性剤としては、特に制限はなく、目的に応じて適宜選択することができ、例えば、側鎖変性ポリジメチルシロキサン、両末端変性ポリジメチルシロキサン、片末端変性ポリジメチルシロキサン、側鎖両末端変性ポリジメチルシロキサンなどが挙げられる。これらの中でも、水系界面活性剤として良好な性質を示す点から、変性基としてポリオキシエチレン基乃至ポリオキシエチレンポリオキシプロピレン基を有するポリエーテル変性シリコーン界面活性剤が好ましい。前記ポリエーテル変性シリコーン界面活性剤を用いた場合、前記ポリエーテル変性シリコーン界面活性剤が電気的にプラスに分極又は荷電している部分があり、基質や汚れの電気的にマイナスに分極又は荷電している部分に吸着しやすいため、洗浄性を向上することができる。
【００２３】
このような界面活性剤としては、適宜合成したものを使用してもよいし、市販品を使用してもよい。前記市販品としては、例えば、ビックケミー・ジャパン株式会社、信越化学工業株式会社、東レ・ダウコーニング・シリコーン株式会社、日本エマルジョン株式会社、共栄社化学株式会社などから入手できる。
【００２４】
前記ポリエーテル変性シリコーン界面活性剤としては、特に制限はなく、目的に応じて適宜選択することができ、例えば、下記一般式（Ｓ−１）式で表わされる、ポリアルキレンオキシド構造をジメチルポリシロキサンのＳｉ部側鎖に導入したものなどが挙げられる。
（一般式（Ｓ−１））
【化１】
0006658133.tif 000002
ただし、前記一般式（Ｓ−１）中、ｍ、ｎ、ａ、及びｂは、それぞれ独立に、整数を表し、Ｒは、アルキレン基を表し、Ｒ’は、アルキル基を表す。
【００２５】
前記ポリエーテル変性シリコーン界面活性剤としては、市販品を使用することができ、前記市販品としては、例えば、ＫＦ−６１８、ＫＦ−６４２、ＫＦ−６４３（以上、信越化学工業株式会社製）、ＥＭＡＬＥＸ−ＳＳ−５６０２、ＳＳ−１９０６ＥＸ（以上、日本エマルジョン株式会社製）、ＦＺ−２１０５、ＦＺ−２１１８、ＦＺ−２１５４、ＦＺ−２１６１、ＦＺ−２１６２、ＦＺ−２１６３、ＦＺ−２１６４（以上、東レ・ダウコーニング・シリコーン株式会社製）、ＢＹＫ−３３、ＢＹＫ−３４８、ＢＹＫ−３８７（以上、ビックケミー・ジャパン株式会社製）、ＴＳＦ４４４０、ＴＳＦ４４５２、ＴＳＦ４４５３（以上、モメンティブ・パフォーマンス・マテリアルズ・ジャパン合同会社製）、ＷＥＴ２７０（エボニック・デグサ・ジャパン株式会社製）などが挙げられる。
【００２６】
＜＜その他の界面活性剤＞＞
その他の界面活性剤としては、特に制限はなく、目的に応じて適宜選択することができ、例えば、フッ素系界面活性剤、両性界面活性剤、ノニオン性界面活性剤、アニオン性界面活性剤などが挙げられる。これらは、１種単独で使用してもよいし、２種以上を併用してもよい。
【００２７】
前記フッ素系界面活性剤としては、起泡性が小さい点から、パーフルオロアルキルスルホン酸化合物、パーフルオロアルキルカルボン酸化合物、パーフルオロアルキルリン酸エステル化合物、パーフルオロアルキルエチレンオキサイド付加物、パーフルオロアルキルエーテル基を側鎖に有するポリオキシアルキレンエーテルポリマー化合物が好ましい。
【００２８】
前記パーフルオロアルキルスルホン酸化合物としては、例えば、パーフルオロアルキルスルホン酸、パーフルオロアルキルスルホン酸塩などが挙げられる。
前記パーフルオロアルキルカルボン酸化合物としては、例えば、パーフルオロアルキルカルボン酸、パーフルオロアルキルカルボン酸塩などが挙げられる。
前記パーフルオロアルキルエーテル基を側鎖に有するポリオキシアルキレンエーテルポリマー化合物としては、例えば、パーフルオロアルキルエーテル基を側鎖に有するポリオキシアルキレンエーテルポリマーの硫酸エステル塩、パーフルオロアルキルエーテル基を側鎖に有するポリオキシアルキレンエーテルポリマーの塩などが挙げられる。
これらは、１種単独で使用してもよいし、２種以上を併用してもよい。
前記フッ素系界面活性剤における塩の対イオンとしては、例えば、Ｌｉ、Ｎａ、Ｋ、ＮＨ４、ＮＨ３ＣＨ２ＣＨ２ＯＨ、ＮＨ２（ＣＨ２ＣＨ２ＯＨ）２、ＮＨ（ＣＨ２ＣＨ２ＯＨ）３等のイオンなどが挙げられる。
【００２９】
前記両性界面活性剤としては、例えば、ラウリルアミノプロピオン酸塩、ラウリルジメチルベタイン、ステアリルジメチルベタイン、ラウリルジヒドロキシエチルベタインなどが挙げられる。これらは、１種単独で使用してもよいし、２種以上を併用してもよい。
【００３０】
前記ノニオン性界面活性剤としては、例えば、ポリオキシエチレンアルキルフェニルエーテル、ポリオキシエチレンアルキルエステル、ポリオキシエチレンアルキルアミン、ポリオキシエチレンアルキルアミド、ポリオキシエチレンプロピレンブロックポリマー、ソルビタン脂肪酸エステル、ポリオキシエチレンソルビタン脂肪酸エステル、アセチレンアルコールのエチレンオキサイド付加物などが挙げられる。これらは、１種単独で使用してもよいし、２種以上を併用してもよい。
【００３１】
前記アニオン性界面活性剤としては、例えば、ポリオキシエチレンアルキルエーテル酢酸塩、ドデシルベンゼンスルホン酸塩、ラウリル酸塩、ポリオキシエチレンアルキルエーテルサルフェートの塩などが挙げられる。これらは、１種単独で使用してもよいし、２種以上を併用してもよい。
【００３２】
前記界面活性剤の含有量としては、濡れ性、及び吐出安定性に優れる点から、洗浄液全量に対して、０．００１０質量％以上５質量％以下が好ましく、０．０５質量％以上５質量％以下がより好ましい。
【００３３】
＜水＞
前記水としては、特に制限はなく、目的に応じて適宜選択することができ、例えば、イオン交換水、限外濾過水、逆浸透水、蒸留水等の純水、超純水などが挙げられる。これらは、１種単独で使用してもよいし、２種以上を併用してもよい。
【００３４】
前記水の含有量としては、特に制限はなく、目的に応じて適宜選択することができるが、洗浄液全量に対して、１０質量％以上９５質量％以下が好ましく、２０質量％以上８０質量％以下がより好ましい。
【００３５】
［動的表面張力］
前記洗浄液の最大泡圧法による寿命時間１５ｍ秒間での２５℃における動的表面張力としては、３５ｍＮ／ｍ以下が好ましく、３０ｍＮ／ｍ以下がより好ましい。前記寿命時間１５ｍ秒間での２５℃における動的表面張力が、３５ｍＮ／ｍ以下であると、汚れと接した際の洗浄液の濡れ性を大きくすることができ、ノズルプレート等に固着したインク被膜を膜として剥がし取ることができ、従来の溶解や再分散させて除去する方法と基本的に異なる新たな作用機構によって洗浄性を向上することができる。
前記洗浄液の最大泡圧法による寿命時間１５０ｍ秒間での２５℃における動的表面張力としては、３５ｍＮ／ｍ以下が好ましく、３０ｍＮ／ｍ以下がより好ましい。前記寿命時間１５０ｍ秒間での２５℃における動的表面張力が、３５ｍＮ／ｍ以下であると、洗浄に必要な濡れ広がりを十分に確保することができる。
なお、前記動的表面張力は、最大泡圧法によって２５℃において、例えば、動的表面張力計（装置名：ＳＩＴＡ  ＤｙｎｏＴｅｓｔｅｒ、ＳＩＴＡ  Ｍｅｓｓｔｅｃｈｎｉｋ社製）を用いて測定することができる。
前記寿命時間とは、最大泡圧法において発生させた気泡の寿命を意味し、バブルライフタイムとも称され、動的表面張力計のプローブ先端内で新しい界面が生成した時点から最大泡圧となるまでの時間を意味する。
【００３６】
前記洗浄液の最大泡圧法による寿命時間１５ｍ秒間での２５℃における動的表面張力をＦ１５とし、最大泡圧法による寿命時間１５０ｍ秒間での２５℃における動的表面張力をＦ１５０としたときの比率（Ｆ１５／Ｆ１５０）としては、１．１０以上が好ましく、１．２０以上がより好ましく、１．２５以上が特に好ましい。前記比率（Ｆ１５／Ｆ１５０）が、１．１０以上であると、汚れに対する濡れ広がりの速度が大きくなり、記録ヘッド上に固着したインクを瞬時に洗浄することができ、洗浄性を向上できる。
【００３７】
＜その他の成分＞
前記その他の成分としては、特に制限はなく、目的に応じて適宜選択することができ、消泡剤、防腐防黴剤、防錆剤、ｐＨ調整剤などが挙げられる。
【００３８】
＜消泡剤＞
消泡剤としては、特に制限はなく、例えば、シリコーン系消泡剤、ポリエーテル系消泡剤、脂肪酸エステル系消泡剤などが挙げられる。これらは、１種を単独で用いても、２種以上を併用してもよい。これらの中でも、破泡効果に優れる点から、シリコーン系消泡剤が好ましい。
【００３９】
＜防腐防黴剤＞
防腐防黴剤としては、特に制限はなく、例えば、１，２−ベンズイソチアゾリン−３−オンなどが挙げられる。
【００４０】
＜防錆剤＞
防錆剤としては、特に制限はなく、例えば、酸性亜硫酸塩、チオ硫酸ナトリウムなどが挙げられる。
【００４１】
＜ｐＨ調整剤＞
ｐＨ調整剤としては、ｐＨを７以上に調整することが可能であれば、特に制限はなく、ジエタノールアミン、トリエタノールアミン等のアミンなどが挙げられる。
【００４２】
本発明の洗浄液としては、特に制限はなく、目的に応じて適宜選択することができるが、インクジェット用であることが好ましい。
【００４３】
（インクと洗浄液のセット）
本発明のインクと洗浄液のセットは、本発明の洗浄液と、樹脂粒子を含有するインクと、を有し、更に必要に応じてその他の成分等を有してなる。前記インクが、樹脂粒子を含有する場合、インクの記録媒体に対する定着性が向上する一方で、吐出安定性が維持しにくくなることから、本発明の洗浄液とインクとの組合せであるセットとして用いることができる。
【００４４】
本発明のインクと洗浄液のセットは、各種の洗浄方法、記録方法、記録装置に好適に用いることができ、後述する、本発明の洗浄方法、本発明のインクジェット記録方法、本発明のインクジェット記録装置に特に好適に用いることができる。
【００４５】
＜インク＞
前記インクは、樹脂粒子を含有し、有機溶剤、及び色材を含有することが好ましく、更に必要に応じてその他の成分を含有してなる。
【００４６】
＜樹脂＞
インク中に含有する樹脂の種類としては、特に制限はなく、目的に応じて適宜選択することができ、例えば、ウレタン樹脂、ポリエステル樹脂、アクリル系樹脂、酢酸ビニル系樹脂、スチレン系樹脂、ブタジエン系樹脂、スチレン−ブタジエン系樹脂、塩化ビニル系樹脂、アクリルスチレン系樹脂、アクリルシリコーン系樹脂などが挙げられる。
これらの樹脂からなる樹脂粒子を用いても良い。樹脂粒子を、水を分散媒として分散した樹脂エマルションの状態で、色材や有機溶剤などの材料と混合してインクを得ることが可能である。前記樹脂粒子としては、適宜合成したものを使用してもよいし、市販品を使用してもよい。また、これらは、１種を単独で用いても、２種類以上の樹脂粒子を組み合わせて用いてもよい。
【００４７】
樹脂粒子の体積平均粒径としては、特に制限はなく、目的に応じて適宜選択することができるが、良好な定着性、高い画像硬度を得る点から、１０ｎｍ以上１，０００ｎｍ以下が好ましく、１０ｎｍ以上２００ｎｍ以下がより好ましく、１０ｎｍ以上１００ｎｍ以下が特に好ましい。
前記体積平均粒径は、例えば、粒度分析装置（ナノトラック  Ｗａｖｅ−ＵＴ１５１、マイクロトラック・ベル株式会社製）を用いて測定することができる。
【００４８】
インク中の固形分の粒径については、特に制限はなく、目的に応じて適宜選択することができるが、吐出安定性、画像濃度などの画像品質を高くする点から、最大個数換算で最大頻度が２０ｎｍ以上１０００ｎｍ以下が好ましく、２０ｎｍ以上１５０ｎｍ以下がより好ましい。固形分は樹脂粒子や顔料の粒子等が含まれる。粒径は、粒度分析装置（ナノトラック  Ｗａｖｅ−ＵＴ１５１、マイクロトラック・ベル株式会社製）を用いて測定することができる。
【００４９】
前記樹脂粒子の含有量としては、定着性、インクの保存安定性の点から、インク全量に対して、５質量％以上であり、５質量％以上３０質量％以下が好ましく、５質量％以上２０質量％以下がより好ましい。
【００５０】
＜＜有機溶剤＞＞
前記有機溶剤としては、特に制限はなく、目的に応じて適宜選択することができ、洗浄液における溶剤と同様のものを用いることができる。
【００５１】
＜色材＞
色材としては特に限定されず、顔料、染料を使用可能である。
顔料としては、無機顔料又は有機顔料を使用することができる。これらは、１種単独で用いても良く、２種以上を併用しても良い。また、混晶を使用しても良い。
顔料としては、例えば、ブラック顔料、イエロー顔料、マゼンダ顔料、シアン顔料、白色顔料、緑色顔料、橙色顔料、金色や銀色などの光沢色顔料やメタリック顔料などを用いることができる。
無機顔料として、酸化チタン、酸化鉄、炭酸カルシウム、硫酸バリウム、水酸化アルミニウム、バリウムイエロー、カドミウムレッド、クロムイエローに加え、コンタクト法、ファーネス法、サーマル法などの公知の方法によって製造されたカーボンブラックを使用することができる。
また、有機顔料としては、アゾ顔料、多環式顔料（例えば、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用できる。これらの顔料のうち、溶媒と親和性の良いものが好ましく用いられる。その他、樹脂中空粒子、無機中空粒子の使用も可能である。
顔料の具体例として、黒色用としては、ファーネスブラック、ランプブラック、アセチレンブラック、チャンネルブラック等のカーボンブラック（Ｃ．Ｉ．ピグメントブラック７）類、または銅、鉄（Ｃ．Ｉ．ピグメントブラック１１）、酸化チタン等の金属類、アニリンブラック（Ｃ．Ｉ．ピグメントブラック１）等の有機顔料があげられる。
さらに、カラー用としては、Ｃ．Ｉ．ピグメントイエロー１、３、１２、１３、１４、１７、２４、３４、３５、３７、４２（黄色酸化鉄）、５３、５５、７４、８１、８３、９５、９７、９８、１００、１０１、１０４、１０８、１０９、１１０、１１７、１２０、１３８、１５０、１５３、１５５、１８０、１８５、２１３、Ｃ．Ｉ．ピグメントオレンジ５、１３、１６、１７、３６、４３、５１、Ｃ．Ｉ．ピグメントレッド１、２、３、５、１７、２２、２３、３１、３８、４８：２、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８４、１８５、１９０、１９３、２０２、２０７、２０８、２０９、２１３、２１９、２２４、２５４、２６４、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３、１５：４（フタロシアニンブルー）、１６、１７：１、５６、６０、６３、Ｃ．Ｉ．ピグメントグリーン１、４、７、８、１０、１７、１８、３６、等がある。
染料としては、特に限定されることなく、酸性染料、直接染料、反応性染料、及び塩基性染料が使用可能であり、１種単独で用いてもよく、２種以上を併用してもよい。
前記染料として、例えば、Ｃ．Ｉ．アシッドイエロー １７，２３，４２，４４，７９，１４２、Ｃ．Ｉ．アシッドレッド ５２，８０，８２，２４９，２５４，２８９、Ｃ．Ｉ．アシッドブルー ９，４５，２４９、Ｃ．Ｉ．アシッドブラック １，２，２４，９４、Ｃ．Ｉ．フードブラック １，２、Ｃ．Ｉ．ダイレクトイエロー １，１２，２４，３３，５０，５５，５８，８６，１３２，１４２，１４４，１７３、Ｃ．Ｉ．ダイレクトレッド １，４，９，８０，８１，２２５，２２７、Ｃ．Ｉ．ダイレクトブルー １，２，１５，７１，８６，８７，９８，１６５，１９９，２０２、Ｃ．Ｉ．ダイレクドブラック １９，３８，５１，７１，１５４，１６８，１７１，１９５、Ｃ．Ｉ．リアクティブレッド １４，３２，５５，７９，２４９、Ｃ．Ｉ．リアクティブブラック ３，４，３５が挙げられる。
【００５２】
インク中の色材の含有量は、画像濃度の向上、良好な定着性や吐出安定性の点から、０．１質量％以上１５質量％以下が好ましく、より好ましくは１質量％以上１０質量％以下である。
【００５３】
顔料をインク中に分散させるには、顔料に親水性官能基を導入して自己分散性顔料とする方法、顔料の表面を樹脂で被覆して分散させる方法、分散剤を用いて分散させる方法、などが挙げられる。
顔料に親水性官能基を導入して自己分散性顔料とする方法としては、例えば、顔料（例えばカーボン）にスルホン基やカルボキシル基等の官能基を付加し水中に分散可能とした自己分散顔料等が使用できる。
顔料の表面を樹脂で被覆して分散させる方法としては、顔料をマイクロカプセルに包含させ、水中に分散可能なものを用いることができる。これは、樹脂被覆顔料と言い換えることができる。この場合、インクに配合される顔料はすべて樹脂に被覆されている必要はなく、本発明の効果が損なわれない範囲において、被覆されない顔料や、部分的に被覆された顔料がインク中に分散していてもよい。
分散剤を用いて分散させる方法としては、界面活性剤に代表される、公知の低分子型の分散剤、高分子型の分散剤を用いて分散する方法が挙げられる。
分散剤としては、顔料に応じて例えば、アニオン界面活性剤、カチオン界面活性剤、両性界面活性剤、ノニオン界面活性剤等を使用することが可能である。
竹本油脂社製ＲＴ−１００（ノニオン系界面活性剤）や、ナフタレンスルホン酸Ｎａホルマリン縮合物も、分散剤として好適に使用できる。
分散剤は１種を単独で用いても、２種以上を併用してもよい。
【００５４】
＜添加剤＞
インクには、必要に応じて、界面活性剤、消泡剤、防腐防黴剤、防錆剤、ｐＨ調整剤等を加えても良い。
【００５５】
＜界面活性剤＞
前記界面活性剤としては、特に制限はなく、目的に応じて適宜選択することができ、例えば、シリコーン界面活性剤、フッ素系界面活性剤、両性界面活性剤、ノニオン性界面活性剤、アニオン性界面活性剤などが挙げられる。これらの界面活性剤としては、洗浄液における界面活性剤と同様のものを用いることができる。
【００５６】
インク中における界面活性剤の含有量としては、特に制限はなく、目的に応じて適宜選択することができるが、濡れ性、吐出安定性に優れ、画像品質が向上する点から、０．００１質量％以上５質量％以下が好ましく、０．０５質量％以上５質量％以下がより好ましい。
【００５７】
＜消泡剤＞
前記消泡剤としては、洗浄液におけるその他の成分の消泡剤と同様のものを用いることができる。
【００５８】
＜防腐防黴剤＞
前記防腐防黴剤としては、洗浄液におけるその他の成分の防腐防黴剤と同様のものを用いることができる。
【００５９】
＜防錆剤＞
前記防錆剤としては、洗浄液におけるその他の成分の防錆剤と同様のものを用いることができる。
【００６０】
＜ｐＨ調整剤＞
前記ｐＨ調整剤としては、洗浄液におけるその他の成分のｐＨ調整剤と同様のものを用いることができる。
【００６１】
インクの物性としては、特に制限はなく、目的に応じて適宜選択することができ、例えば、粘度、表面張力、ｐＨ等が以下の範囲であることが好ましい。
インクの２５℃での粘度は、印字濃度や文字品位が向上し、また、良好な吐出性が得られる点から、５ｍＰａ・ｓ以上３０ｍＰａ・ｓ以下が好ましく、５ｍＰａ・ｓ以上２５ｍＰａ・ｓ以下がより好ましい。ここで、粘度は、例えば回転式粘度計（東機産業社製ＲＥ−８０Ｌ）を使用することができる。測定条件としては、２５℃で、標準コーンローター（１°３４’×Ｒ２４）、サンプル液量１．２ｍＬ、回転数５０ｒｐｍ、３分間で測定可能である。
インクの表面張力としては、記録媒体上で好適にインクがレベリングされ、インクの乾燥時間が短縮される点から、２５℃で、３５ｍＮ／ｍ以下が好ましく、３２ｍＮ／ｍ以下がより好ましい。
インクのｐＨとしては、接液する金属部材の腐食防止の観点から、７〜１２が好ましく、８〜１１がより好ましい。
【００６２】
前記インクとしては、インクジェット用であることが好ましい。
【００６３】
＜記録媒体＞
記録媒体としては特に制限はなく、普通紙、光沢紙、特殊紙、布などを用いることもできるが、非浸透性基材を用いても良好な画像形成が可能である。
前記非浸透性基材とは、水透過性、吸収性が低い表面を有する基材であり、内部に多数の空洞があっても外部に開口していない材質も含まれ、より定量的には、ブリストー（Ｂｒｉｓｔｏｗ）法において接触開始から３０ｍｓｅｃ１／２までの水吸収量が１０ｍＬ／ｍ２以下である基材をいう。
前記非浸透性基材としては、例えば、塩化ビニル樹脂フィルム、ポリエチレンテレフタレート（ＰＥＴ）フィルム、ポリプロピレン、ポリエチレン、ポリカーボネートフィルムなどのプラスチックフィルムを、好適に使用することができる。
【００６４】
（組成物収容容器）
前記組成物収容容器は、本発明の洗浄液を容器中に収容してなり、更に必要に応じてその他の部材を有してなる。
また、前記組成物収容容器は、本発明のインクと洗浄液のセットに用いられるインクと、本発明のインクと洗浄液のセットに用いられる洗浄液と、を容器中に収容してなり、更に必要に応じてその他の部材を有してなる。
【００６５】
前記容器としては、特に制限はなく、目的に応じて、その形状、構造、大きさ、材質等を適宜選択することができ、例えば、アルミニウムラミネートフィルム、樹脂フィルム等で形成されたインク袋などを少なくとも有するものなどが挙げられる。
【００６６】
＜洗浄方法＞
本発明の洗浄方法は、ノズル孔を有するノズルプレート、及びインク流路を有するインクジェット記録装置の洗浄方法であって、前記ノズルプレート、又は前記インク流路に残留したインクを本発明の洗浄液により洗浄する洗浄工程を含み、更に必要に応じてその他の工程を含む。
【００６７】
＜＜洗浄工程＞＞
前記洗浄工程は、ノズル孔を有するノズルプレート、又はインク流路に残留したインクを本発明の洗浄液により洗浄する工程である。
前記洗浄としては、例えば、ノズル孔を有するノズルプレート等に、前記洗浄液を噴霧すること、前記洗浄液を含浸させた布等で前記インクを拭き取ることなどが挙げられる。また、洗浄部位が、前記インク流路である場合は、前記洗浄液をインクと置換して、前記ノズルから吐出することにより洗浄することができる。これにより、ノズル孔を有するノズルプレート、インク流路、さらにその周辺等を洗浄することができる。
【００６８】
（インクジェット記録装置、及びインクジェット記録方法）
本発明のインクジェット記録装置は、本発明のインクと洗浄液のセットにおける、前記インクと、前記洗浄液と、を有する。
また、本発明のインクジェット記録装置は、本発明のインクと洗浄液のセットにおける前記インクに刺激を印加し、前記インクを飛翔させて記録媒体に画像を記録するインク飛翔手段と、ノズル孔を有するノズルプレート、又はインク流路に残留したインクを前記洗浄液により洗浄する洗浄手段と、を有し、更に必要に応じてその他の手段を有してなる。
本発明のインクジェット記録方法は、本発明のインクと洗浄液のセットにおける前記インクに刺激を印加し、前記インクを飛翔させて記録媒体に画像を記録するインク飛翔工程と、ノズル孔を有するノズルプレート、又はインク流路に残留したインクを前記洗浄液により洗浄する洗浄工程と、を含み、更に必要に応じてその他の工程を含んでなる。
【００６９】
前記インクジェット記録方法におけるインク飛翔工程は、前記インク飛翔手段により好適に実施することができる。
前記インクジェット記録装置における収容手段としては、洗浄液とインクとを収容できれば特に制限はなく、目的に応じて適宜選択することができる。
前記洗浄工程としては、前記洗浄手段により好適に実施することができ、スポイト等を用いて、インクが付着した記録ヘッドのノズル孔を有するノズルプレート、インク流路等に前記洗浄液を付与して洗浄することや前記洗浄液を含浸した払拭部材を用いて洗浄することなどが挙げられる。
前記払拭部材としては、特に制限はなく、目的に応じて適宜選択することができ、例え
ば、不織布、布などが挙げられる。これらは、ロール状に巻回したものが好ましく、発塵
し難く信頼性が高い点から、ロール状の不織布が好ましい。
【００７０】
本発明のインクと洗浄液のセットに用いられるインクは、インクジェット記録方式による各種記録装置、例えば、プリンタ、ファクシミリ装置、複写装置、プリンタ／ファックス／コピア複合機、立体造形装置などに好適に使用することができる。
本発明において、インクジェット記録装置とは、記録媒体に対してインクや各種処理液等を吐出することが可能な装置、当該装置を用いて記録を行う方法である。記録媒体とは、インクや各種処理液が一時的にでも付着可能なものを意味する。
前記インクジェット記録装置には、インクを吐出するヘッド部分だけでなく、記録媒体の給送、搬送、排紙に関わる手段、その他、前処理装置、後処理装置と称される装置などを有することができる。
【００７１】
前記インクジェット記録装置は、加熱手段、乾燥手段を有していてもよい。前記加熱手段、前記乾燥手段には、例えば、記録媒体の印字面や裏面を加熱、乾燥する手段が含まれる。加熱手段、乾燥手段としては、特に限定されないが、例えば、温風ヒーター、赤外線ヒーターを用いることができる。加熱、乾燥は、印字前、印字中、印字後などに行うことができる。
【００７２】
また、前記インクジェット記録装置は、インクによって文字、図形等の有意な画像が可視化されるものに限定されるものではない。例えば、幾何学模様などのパターン等を形成するもの、３次元像を造形するものも含まれる。
【００７３】
また、前記インクジェット記録装置には、特に限定しない限り、吐出ヘッドを移動させるシリアル型装置、吐出ヘッドを移動させないライン型装置のいずれも含まれる。
更に、前記インクジェット記録装置には、卓上型だけでなく、Ａ０サイズの記録媒体への印刷も可能とする広幅の記録装置や、例えばロール状に巻き取られた連続用紙を記録媒体として用いることが可能な連帳プリンタも含まれる。
【００７４】
前記インクジェット記録装置の一例について図１乃至図２を参照して説明する。図１は同装置の斜視説明図である。図２はメインタンクの斜視説明図である。記録装置の一例としての画像形成装置４００は、シリアル型画像形成装置である。画像形成装置４００の外装４０１内に機構部４２０が設けられている。ブラック（Ｋ）、シアン（Ｃ）、マゼンタ（Ｍ）、イエロー（Ｙ）の各色用のメインタンク４１０（４１０ｋ、４１０ｃ、４１０ｍ、４１０ｙ）の各インク収容部４１１は、例えばアルミニウムラミネートフィルム等の包装部材により形成されている。インク収容部４１１は、例えば、プラスチックス製の収容容器ケース４１４内に収容される。これによりメインタンク４１０は、各色のインクカートリッジとして用いられる。
【００７５】
一方、装置本体のカバー４０１ｃを開いたときの開口の奥側にはカートリッジホルダ４０４が設けられている。カートリッジホルダ４０４には、メインタンク４１０が着脱自在に装着される。これにより、各色用の供給チューブ４３６を介して、メインタンク４１０の各インク排出口４１３と各色用の吐出ヘッド４３４とが連通し、吐出ヘッド４３４から記録媒体へインクを吐出可能となる。
【実施例】
【００７６】
以下、実施例を示して本発明を更に具体的に説明するが、本発明は、これらの実施例により限定されるものではない。
なお、洗浄液の動的表面張力は、以下のようにして測定した。
（動的表面張力）
前記動的表面張力は、最大泡圧法によって２５℃において、寿命時間１５ｍ秒間での２５℃における動的表面張力Ｆ１５及び寿命時間１５０ｍ秒間での２５℃における動的表面張力Ｆ１５０を、動的表面張力計（装置名：ＳＩＴＡ  ＤｙｎｏＴｅｓｔｅｒ、ＳＩＴＡ  Ｍｅｓｓｔｅｃｈｎｉｋ社製）を用いて測定した。
【００７７】
（実施例１）
３−メトキシ−３−メチル−１−ブタノール（株式会社クラレ製）２０．０質量％、ポリエーテル変性シリコーン界面活性剤１（商品名：ＢＹＫ−３４８、ビックケミー・ジャパン株式会社製）０．５質量％、及び合計が１００質量％となるようにイオン交換水残量を添加し、１時間撹拌して、洗浄液１を得た。
【００７８】
（実施例２〜１０、及び比較例１〜３）
実施例１において、下記表１及び２に示す組成に変更した以外は、実施例１と同様にして、洗浄液２〜１３を得た。組成を下記表１及び２に示す。
【００７９】
【表１】
0006658133.tif 000003
【００８０】
【表２】
0006658133.tif 000004
【００８１】
なお、前記表１及び２において、成分の商品名、及び製造会社名については下記の通りである。
・３−メトキシ−３−メチル−１−ブタノール：株式会社クラレ製
・１，３−ブタンジオール：東京化成工業株式会社製
・ポリエーテル変性シリコーン界面活性剤１：ビックケミー・ジャパン株式会社製、商品名：ＢＹＫ−３４８
・ポリエーテル変性シリコーン界面活性剤２：エボニック・デグサ・ジャパン株式会社製、商品名：ＷＥＴ２７０
・ポリグリセリン変性シリコーン界面活性剤：信越化学工業株式会社製、商品名：ＫＦ−６１０６
・ポリオキシアルキレンアルキルエーテル：花王株式会社製、商品名：ＬＳ１０６
・フッ素系界面活性剤：ＤｕＰｏｎｔ社製、商品名：ＦＳ−３４
【００８２】
（イエロー顔料分散体の調製例）
＜イエロー顔料分散体の調製＞
機械撹拌機、温度計、窒素ガス導入管、還流管、及び滴下ロートを備えた１Ｌのフラスコ内を窒素ガスにて置換した後、スチレン１１．２ｇ、アクリル酸２．８ｇ、ラウリルメタクリレート１２ｇ、ポリエチレングリコールメタクリレート４ｇ、スチレンマクロマー４ｇ、メルカプトエタノール０．４ｇ、及びメチルエチルケトン４０ｇを投入し、６５℃まで昇温した。次に、スチレン１００．８ｇ、アクリル酸２５．２ｇ、ラウリルメタクリレート１０８ｇ、ポリエチレングリコールメタクリレート３６ｇ、ヒドロキシルエチルメタクリレート６０ｇ、スチレンマクロマー３６ｇ、メルカプトエタノール３．６ｇ、アゾビスメチルバレロニトリル２．４ｇ、及びメチルエチルケトン３４２ｇの混合液を、２．５時間かけてフラスコ内に滴下した。さらに、アゾビスメチルバレロニトリル０．８ｇ、及びメチルエチルケトン１８ｇの混合液を、０．５時間かけてフラスコ内に滴下した後、１時間熟成した。次に、アゾビスメチルバレロニトリル０．８ｇを添加した後、１時間熟成し、５０質量％のポリマー溶液８００ｇを得た。
【００８３】
得られたポリマー溶液２８ｇ、Ｃ．Ｉ．ピグメントイエロー７４（商品名：エローＮｏ．４３、大日精化工業株式会社製）２６ｇ、１ｍｏｌ／Ｌの水酸化カリウム水溶液１３．６ｇ、メチルエチルケトン２０ｇ、及び水１３．６ｇを撹拌した後、ロールミルを用いて混練してペーストを得た。得られたペーストを水２００ｇ中に投入して撹拌した後、エバポレータを用いて、メチルエチルケトン、及び水を留去し、顔料含有量が１５質量％、固形分濃度が２０質量％のイエロー顔料分散体を得た。
【００８４】
（インクの調製例１）
＜インク１の調製＞
１，３−ブタンジオール（東京化成工業株式会社製）１５．０質量％、１，２−プロパンジオール（三井化学株式会社製）１５．０質量％、アクリル樹脂粒子（商品名：ボンコートＲ−３３８０−Ｅ、ＤＩＣ株式会社製、固形分濃度：４５質量％）６．７質量％、及びフッ素系界面活性剤（商品名：Ｚｏｎｙｌ（登録商標）ＦＳＯ−１００、ＤｕＰｏｎｔ社製）１．０質量％を添加して撹拌混合後、イエロー顔料分散体２０．０質量％、及び合計が１００質量％となるようにイオン交換水残量を添加して、１時間撹拌した。次に、平均孔径が１．５μｍのポリプロピレンフィルター（商品名：プロファイル・スター、日本ポール株式会社製）を用いて加圧濾過して、粗大粒子を除去し、インク１を調製した。
【００８５】
（インクの調製例２）
＜インク２の調製＞
インクの調製例１において、アクリル樹脂粒子（商品名：ボンコートＲ−３３８０−Ｅ、ＤＩＣ株式会社製、固形分濃度：４５質量％）の量を６．７質量％から１１．１質量％に変更した以外は、インクの調製例１と同様にして、インク２を調製した。組成を下記表３に示す。
【００８６】
【表３】
0006658133.tif 000005
【００８７】
なお、前記表３において、成分の商品名、及び製造会社名については下記の通りである。
・１，３−ブタンジオール：東京化成工業株式会社製
・１，２−プロパンジオール：三井化学株式会社製
・アクリル樹脂粒子：ＤＩＣ株式会社製、商品名：ボンコートＲ−３３８０−Ｅ、固形分濃度：４５質量％
・フッ素系界面活性剤：ＤｕＰｏｎｔ社製、商品名：Ｚｏｎｙｌ（登録商標）ＦＳＯ−１００
【００８８】
（実施例１１）
前記インク１、及び前記洗浄液１を組み合わせて、インクと洗浄液のセット１とした。
【００８９】
（実施例１２〜２１、及び比較例４〜７）
実施例１１において、下記表４の組合せに変更した以外は、実施例１１と同様にして、インクと洗浄液のセット２〜１５とした。
【００９０】
得られたインクと洗浄液のセットを用いて、下記のようにして、「洗浄性」、「吐出安定性」、及び「定着性」を評価した。結果を下記表４に示す。
【００９１】
（洗浄性）
ＳＵＳ３１６板（３ｃｍ×４ｃｍ）を、各インクと洗浄液のセットにおけるインクに、６０分間浸漬させた。その後、大気中で０．１ＭＰａの加圧条件下、常温（２５℃）で２時間静置し乾燥させて、インク乾固物が付着したＳＵＳ３１６板を得た。
【００９２】
得られたインク乾固物が付着したＳＵＳ３１６板を、各インクと洗浄液のセットにおける洗浄液３０ｍＬを用いて３分間繰り返しかけ洗いした。かけ洗い終了後、ＳＵＳ３１６板を目視にて観察し、下記評価基準に基づいて、「洗浄性」を評価した。
［評価基準］
◎：繰り返しかけ洗い洗浄初期（１分間以内）にインク乾固物が全く確認できなくなった
○：繰り返しかけ洗い終了後、インク乾固物が全く確認できなくなった
△：インク乾固物が僅かに残存していることが確認できた
×：洗浄前後でインク乾固物に変化が見られなかった
【００９３】
（吐出安定性）
図１に示すプリンタを用いて、各インクと洗浄液のセットにおけるインクを、４５分間連続吐出し、吐出が停止してから３０分間記録ヘッドの表面を乾燥させた。その後、スポイトを用いて洗浄液３ｍＬを記録ヘッドのノズル面に付与した後、ワイピングを実施し、再度インクの吐出を行い、下記評価基準に基づいて、「吐出安定性」を評価した。
［評価基準］
◎：吐出乱れ、又は不吐出が全くない
○：５ノズル以下の吐出乱れ、又は不吐出があるが、すぐに回復する
△：５ノズル以下の吐出乱れ、又は不吐出があり、回復しない
×：５ノズルを超える吐出乱れ、又は不吐出がある
【００９４】
（定着性）
インクジェットプリンタ（装置名：ＩＰＳｉＯ  ＧＸ５０００、株式会社リコー製）に、各インクと洗浄液のセットにおけるインクを充填して、Ｔｙｐｅ６２００紙（株式会社ＮＢＳリコー製）に解像度６００ｄｐｉで記録を行った。次いで、記録部に対してろ紙（商品名：円形定量ろ紙  Ｎｏ．６、ＡＤＶＡＮＴＥＣ社製）を押し当て、ろ紙へのインクの転写の状態を目視で観察し、下記評価基準に基づいて、「定着性」を評価した。
［評価基準］
◎：インクの転写は殆どない
○：一部のインクが転写している
△：多くのインクが転写している
×：ほとんどのインクが転写している
【００９５】
【表４】
0006658133.tif 000006
【００９６】
本発明の態様としては、例えば、以下のとおりである。
＜１＞  水、有機溶剤、及び界面活性剤を含有する洗浄液であって、
前記有機溶剤が、３−メトキシ−３−メチル−１−ブタノールを含有し、
前記界面活性剤が、シリコーン界面活性剤を含有することを特徴とする洗浄液である。
＜２＞  前記シリコーン界面活性剤が、ポリエーテル変性シリコーン界面活性剤である前記＜１＞に記載の洗浄液である。
＜３＞  最大泡圧法による寿命時間１５ｍ秒間での２５℃における動的表面張力が、３０ｍＮ／ｍ以下である前記＜１＞から＜２＞のいずれかに記載の洗浄液である。
＜４＞  最大泡圧法による寿命時間１５ｍ秒間での２５℃における動的表面張力をＦ１５とし、最大泡圧法による寿命時間１５０ｍ秒間での２５℃における動的表面張力をＦ１５０としたときの比率（Ｆ１５／Ｆ１５０）が、１．２５以上である前記＜１＞から＜３＞のいずれかに記載の洗浄液である。
＜５＞  前記３−メトキシ−３−メチル−１−ブタノールの含有量が、１０質量％以上である前記＜１＞から＜４＞のいずれかに記載の洗浄液である。
＜６＞  前記有機溶剤の含有量が、１０質量％以上６０質量％以下である前記＜１＞から＜５＞のいずれかに記載の洗浄液である。
＜７＞  前記ポリエーテル変性シリコーン界面活性剤が、下記一般式（Ｓ−１）で表される化合物である前記＜２＞から＜６＞のいずれかに記載の洗浄液である。
（一般式（Ｓ−１））
【化２】
0006658133.tif 000007
ただし、前記一般式（Ｓ−１）中、ｍ、ｎ、ａ、及びｂは、それぞれ独立に、整数を表し、Ｒは、アルキレン基を表し、Ｒ’は、アルキル基を表す。
＜８＞  前記界面活性剤の含有量が、０．００１０質量％以上５質量％以下である前記＜１＞から＜７＞のいずれかに記載の洗浄液である。
＜９＞  前記有機溶剤が、１，２−ブタンジオールをさらに含む前記＜１＞から＜８＞のいずれかに記載の洗浄液である。
＜１０＞  インクジェット用である前記＜１＞から＜９＞のいずれかに記載の洗浄液である。
＜１１＞  前記＜１＞から＜１０＞のいずれかに記載の洗浄液と、
樹脂粒子を含有するインクと、を有し、
前記インク中の前記樹脂粒子の含有量が、５質量％以上であることを特徴とするインクと洗浄液のセットである。
＜１２＞  前記樹脂粒子が、アクリル樹脂粒子である前記＜１１＞に記載のインクと洗浄液のセットである。
＜１３＞  前記樹脂粒子の体積平均粒径が、１０ｎｍ以上１，０００ｎｍ以下である前記＜１１＞から＜１２＞のいずれかに記載のインクと洗浄液のセットである。
＜１４＞  前記樹脂粒子の含有量が、５質量％以上３０質量％以下である前記＜１１＞から＜１３＞のいずれかに記載のインクと洗浄液のセットである。
＜１５＞  前記インクが、有機溶剤をさらに含む前記＜１１＞から＜１４＞のいずれかに記載のインクと洗浄液のセットである。
＜１６＞  前記インク中の前記有機溶剤が、１，３−ブタンジオール、及び１，２−プロパンジオールの少なくともいずれかである前記＜１５＞に記載のインクと洗浄液のセットである。
＜１７＞  前記インクが、フッ素系界面活性剤をさらに含有する前記＜１１＞から＜１６＞のいずれかに記載のインクと洗浄液のセットである。
＜１８＞  ノズル孔を有するノズルプレート、及びインク流路を有するインクジェット記録装置の洗浄方法であって、
前記ノズルプレート、又は前記インク流路に残留したインクを前記＜１＞から＜１０＞のいずれかに記載の洗浄液により洗浄する洗浄工程を含むことを特徴とする洗浄方法である。
＜１９＞  前記＜１１＞から＜１７＞のいずれかに記載のインクと洗浄液のセットにおける、前記インクと、前記洗浄液と、を有することを特徴とするインクジェット記録装置である。
＜２０＞  前記＜１１＞から＜１７＞のいずれかに記載のインクと洗浄液のセットにおける前記インクに刺激を印加し、前記インクを飛翔させて記録媒体に画像を記録するインク飛翔手段と、
ノズル孔を有するノズルプレート、又はインク流路に残留した前記インクを、前記＜１１＞から＜１８＞のいずれかに記載のインクと洗浄液のセットにおける前記洗浄液により洗浄する洗浄手段と、を有することを特徴とするインクジェット記録装置である。
＜２１＞    前記＜１１＞から＜１７＞のいずれかに記載のインクと洗浄液のセットにおける前記インクに刺激を印加し、前記インクを飛翔させて記録媒体に画像を記録するインク飛翔工程と、
ノズル孔を有するノズルプレート、又はインク流路に残留した前記インクを前記洗浄液により洗浄する洗浄工程と、を含むことを特徴とするインクジェット記録方法である。
【００９７】
前記＜１＞から＜１０＞のいずれかに記載の洗浄液、前記＜１１＞から＜１７＞に記載のインクと洗浄液のセット、前記＜１８＞に記載の洗浄方法、前記＜１９＞から＜２０＞のいずれかに記載のインクジェット記録装置、及び前記＜２１＞に記載のインクジェット記録方法によると、従来における前記諸問題を解決し、前記本発明の目的を達成することができる。
【先行技術文献】
【特許文献】
【００９８】
【特許文献１】特許第５５９３３６６号公報
【図１】
0006658133.tif 000008
【図２】
0006658133.tif 000009